(57)【要約】      （修正有）【課題】外的なストレス又は力を受けても周辺回路領域が破損しないように、フラット表示パネルの構造を強化させる。【解決手段】システムは、アクティブ領域及びアクティブ領域に隣接した周辺領域を有し、周辺領域の直角な隅部は少なくとも１つの角取り加工を施された隅部を設けることで、周辺領域の構造上の強度を高める。このように隅部に角取り加工を施すことによって下基板の強度を向上させ、周辺領域を破損しにくくし、電子装置の信頼性を改善するとともに、周辺領域が破れたとき、ガラス破片がフラット表示パネルのその他の素子を損傷させる問題を解決する。【選択図】図５
2008102515.tif 000002
【特許請求の範囲】
【請求項１】
アクティブ領域と、該アクティブ領域に隣接した周辺領域とを有し、前記周辺領域に角取りされた隅部が少なくとも１個設けられている下基板と、
前記下基板の前記アクティブ領域を覆うように前記下基板の上に設けられる上基板とを含むフラット表示パネルを設けるシステム。
【請求項２】
前記角取りされた隅部は３つの側面を有し、該側面のうちの２つは相互に垂直であり、残りの１つの側面に対して斜めになっていることを特徴とする請求項１記載のシステム。
【請求項３】
前記３つの側面は２つの鈍角を形成することを特徴とする請求項２記載のシステム。
【請求項４】
前記角取りされた隅部は２つの先端角を有し、該先端角のうちの少なくとも１つは９５度から１７５度の範囲にあることを特徴とする請求項１記載のシステム。
【請求項５】
前記周辺領域は、実質的に長方形の領域であることを特徴とする請求項１記載のシステム。
【請求項６】
前記下基板は、前記周辺領域に前記角取りされた隅部を２つ設けられていることを特徴とする請求項１記載のシステム。
【請求項７】
前記周辺領域は、前記アクティブ領域の２つの辺から広がっていることを特徴とする請求項１記載のシステム。
【請求項８】
前記アクティブ領域の前記２つの辺は互いに隣接し、前記周辺領域は実質的にＬ字型の領域であることを特徴とする請求項７記載のシステム。
【請求項９】
前記下基板は、前記周辺領域に前記角取りされた隅部を３つ設けられていることを特徴とする請求項８記載のシステム。
【請求項１０】
前記角取りされた隅部の夫々は２つの鈍角を有することを特徴とする請求項９記載のシステム。
【発明の詳細な説明】
【技術分野】
【０００１】
本発明はフラット表示パネルを設けるシステムに関する。
【背景技術】
【０００２】
図１及び図２を参照する。平面図から見れば、上ガラス基板１２及び下ガラス基板１４は２つの長方形である。下ガラス基板１４は４つの隅部１４ａ、１４ｂ、１４ｃ、１４ｄを有し、両基板１２、１４の各隅部はすべて直角を呈する。上ガラス基板１２は下ガラス基板１４より小さく作られている。したがって、下ガラス基板１４には、上ガラス基板１２に覆われる部分とそれに覆われない部分とがあり、前者はアクティブ領域１８とされ、後者は周辺領域２０とされる。
【０００３】
アクティブ領域１８は画素アレイ領域１１及び制御回路領域１３を有し、周辺領域２０は、外部回路に電気的に接続して、フラット表示パネル１０の内部回路を介して信号を送信する複数の周辺回路及び接続パッド２２を含む。これらの回路は例えば、電圧線またはスキャン制御信号線である。
【０００４】
図３を参照する。図３はフラット表示パネル１０に落下試験を施した後の状態を表す平面図である。落下試験では、フラット表示パネル１０の信頼性を確保するため、フラット表示パネル１０を所定の高さから地面に落下させる。図に示すように、地面に落ちたフラット表示パネル１０は、突然に衝撃力を受けて、高い確率でその後破損する。
【０００５】
このような構造上の破損２８は下ガラス基板１４の周辺領域２０で特に発生しやすい。なぜなら、周辺領域２０は上ガラス基板１２に覆われていないからである。周辺領域２０の中、特に直角の隅部１４ａ、１４ｂは、このようなストレス又は力がかかると容易に破壊される。いったん隅部１４ａ、１４ｂが壊れると、破砕されたガラスが生じ、その後、そのガラス破片がフラット表示パネル１０のその他の素子を損傷させる可能性がある。予期しない構造上の破損２８は、直接的に周辺回路に損傷を与えることもありうる。即ち、それは、周辺領域２０からアクティブ領域１８まで及び、画素アレイ領域１１及び制御回路領域１３を損傷させることもありうる。
【０００６】
したがって、フラット表示パネル１０が破損すると、その中の素子はいずれも損傷を免れない。例えば、周辺領域２０の周辺回路が破損すると、外部回路と内部回路との間の電気的接続は切断される。その上、画素アレイ領域１１及び制御回路領域１３までが破損すると、フラット表示パネル１０は、その視覚効果に基づいて不良品になりかねない。
【０００７】
そのため、外的なストレス又は力を受けても周辺回路領域が破損しないように、フラット表示パネルの構造を強化させることは、ディスプレイ製造業者にとって重要な課題である。
【発明の開示】
【発明が解決しようとする課題】
【０００８】
本発明は前述の問題を解決するため、隅部が角取りされたフラット表示パネルを設けるシステムを提供することを課題とする。
【課題を解決するための手段】
【０００９】
本発明はフラット表示パネルを設けるシステムを提供する。
【００１０】
このようなシステムの実施形態はフラット表示パネルを有する。該フラット表示パネルは下基板及び上基板を有する。前記下基板は、アクティブ領域と、該アクティブ領域に隣接した周辺領域を有し、且つ、前記下基板は、前記周辺領域に少なくとも１つの角取りされた隅部を有する。前記上基板は、前記下基板の前記アクティブ領域を覆うように前記下基板の上に設けられる。
【発明の効果】
【００１１】
周辺領域の直角な隅部は、フラット表示パネルを含む電子装置の中でも最も壊れやすい部分であるので、少なくとも１つの角取り加工を施された隅部を設けることで、周辺領域の構造上の強度を高めることができる。このようにして、本発明は、隅部に角取り加工を施すことによって下基板の強度を向上させ、周辺領域を破損しにくくし、電子装置の信頼性を改善するとともに、周辺領域が破れたとき、ガラス破片がフラット表示パネルのその他の素子を損傷させる問題を解決する。
【００１２】
さらに、本発明による隅部が角取りされたフラット表示パネルは、直角の隅部を有する従来のパネルより所要空間が少ないため、それを用いた電子装置では各素子を収容する空間が大きくなり、よって、電子装置は更なる多様性を有することができる。
【発明を実施するための最良の形態】
【００１３】
かかる装置の特徴を詳述するために、具体的な実施例を挙げ、図を参照にして以下に説明する。
【００１４】
本発明によるフラット表示パネルを設けるシステムには、角取りされた隅部を少なくとも１つ備える下基板が含まれている。かかる構造は落下試験や落下事故からフラット表示パネルを守ることができる。
【００１５】
（実施例１）
図４と図５を参照する。図４は本発明の実施例１によるフラット表示パネルを設けるシステムのブロック図である。本発明の実施例１では、かかるシステムは、フラット表示パネル５０を含んだ電子装置１００である。図４に示すように、電子装置１００は表示装置１０２（例えば液晶表示器）を含み、表示装置１０２はフラット表示パネル５０と、フラット表示パネル５０に結合され、これを制御して入力信号に関連する画像を表示させるコントローラー１０４とを含む。電子装置１００は例えば、ノートパソコン、携帯電話、デジタルカメラ、ＰＤＡ（パーソナルデジタルアシスタント）、デスクトップパソコン、テレビ、車用ディスプレイ、音楽プレイヤー、または携帯型ＤＶＤプレイヤーである。ユーザーはコントローラー１０４を用いて電子装置１００を制御し、フラット表示パネル５０を操作する。
【００１６】
図５に示すように、フラット表示パネル５０は上基板５２及び下基板５４を含む。下基板５４において、上基板５２に覆われていない部分は周辺領域６０とされ、それに覆われる部分はアクティブ領域５８とされる。本発明の様々な実施例に従って、表示パネル５０は液晶表示器、有機発光ダイオード（ＯＬＥＤ）表示器、電界効果表示器（ＦＥＤ）、プラズマ表示パネル（ＰＤＰ）、及び表面電界表示器（ＳＥＤ）に適用される。
【００１７】
アクティブ領域５８は画素アレイ領域及び制御回路領域（図示せず。）を含む。下基板５４の周辺領域６０には複数の接続パッド５６と、少なくとも１個のＩＣ（集積回路）チップ６６とが設けられている。
【００１８】
平面図から見れば、周辺領域６０は実質的に長方形を呈する。ただし、その隅部５４２、５４４は角取りされている。つまり、隅部５４２、５４４の角は斜めに切り取られている。角取りされた隅部５４２は３つの側面６１１、６１２、６１３を有し、側面６１１、６１３は相互に垂直であり、側面６１２は側面６１１、６１３に対して斜めになっている。したがって、側面６１２と側面６１１、６１３とは、２つの鈍角５４２ａ、５４２ｂを形成する。一方、角取りされた隅部５４４は３つの側面６１３、６１４、６１５を有し、側面６１３、６１５は相互に垂直であり、側面６１４は側面６１３、６１５に対して斜めになっている。したがって、側面６１４と側面６１３、６１５とは、２つの鈍角５４４ａ、５４４ｂを形成する。下基板５４の強度はこれらの鈍角の大きさに大いに関係している。実際に、鈍角５４２ａ、５４２ｂ、５４４ａ、５４４ｂを９５度〜１７５度と設定してよい。隅部５４２、５４４が角取りされているので、本発明によるフラット表示パネル５０は従来のものより強度が高い。
【００１９】
一般的に、鈍角の隅部は直角の隅部より強度が高い。結果として、下基板５４の破損が防がれ、フラット表示パネル５０の信頼性が向上することとなる。さらに、隅部が角取りされたフラット表示パネル５０の所要空間は従来のものより小さいので、その他の素子を収容する空間は相対的に大きくなる。
【００２０】
周辺領域６０は長さ６０２と幅６０１を有する。この幅６０１はフラット表示パネル５０の幅でもある。留意すべきは、フラット表示パネル５０の形状は図５に示すものに限られない点である。角取りされた隅部を少なくとも１つ備える下基板ならば、いずれも本発明の範囲に属する。したがって、周辺領域６０の輪郭（側面６１１、６１２、６１３、６１４、６１５の長さと、角度５４２ａ、５４２ｂ、５４４ａ、５４４ｂの大きさとによって定められる。）は、周辺領域の幅６０１に対する長さ６０２の比、アクティブ領域の長さ（図示せず。）に対する周辺領域の長さ６０２の比、周辺領域の長さ６０２、幅６０１、及び厚さ（図示せず。）などに基づいて調整することができる。
【００２１】
（実施例２及び実施例３）
図６及び図７を参照する。図６は本発明の実施例２によるフラット表示パネル５０を示し、図７は本発明の実施例３によるフラット表示パネル７０を示す。説明を簡素化するため、図６に示す素子の番号付けは図５と同様とする。
【００２２】
図６に示すように、下基板５４は４つの隅部５４２、５４４、５４６、５４８を有する。隅部５４２は２つの側面６１６、６１７を有し、隅部５４４は２つの側面６１７、６１８を有する。側面６１６、６１８は丸みを帯び、側面６１７は平面である。したがって、平面図から見れば、隅部５４２、５４４は２つの円弧状の隅部である。隅部５４２、５４４は角取りされているので、従来のものより強度が高い。また別の実施例として、周辺領域６０の隅部５４２、５４４を八角形やその他の多辺形につくることもできる。
【００２３】
図７を参照する。下基板７４において、上基板７２に覆われる部分はアクティブ領域７８とされ、それに覆われていない部分は周辺領域８０とされる。フラット表示パネル７０では、周辺領域８０は２つの周辺部８０ａ、８０ｂに分かれている。両周辺部８０ａ、８０ｂはアクティブ領域７８の隣接する２つの辺から個々に広がっている。したがって、平面図から見れば、周辺領域８０は実質的にＬ字型を呈する。このようにつくられた周辺領域８０は、より多くの素子を収容できる。
【００２４】
下基板７４は４つの隅部７４２、７４４、７４６、７４８を有し、そのうち隅部７４２、７４４、７４６は角取りされている。角取りされた隅部７４２、７４４、７４６はいずれも３つの側面を有し、これらの３つの側面は２つの鈍角を形成する。すなわち、隅部７４２には鈍角７４２ａ、７４２ｂがあり、隅部７４４には鈍角７４４ａ、７４４ｂがあり、隅部７４６には鈍角７４６ａ、７４６ｂがある。実際に、鈍角７４２ａ、７４２ｂ、７４４ａ、７４４ｂ、７４６ａ、７４６ｂの範囲を９５度〜１７５度と設定してよい。隅部７４２、７４４、７４６が角取りされているため、フラット表示パネル７０は従来のものより強度が高い。
【００２５】
留意すべきは、フラット表示パネルの形状は上記実施例に示される形状に限られず、製品の規格に応じて任意に定められ得る点である。それに加えて、当業者に周知されているように、上基板及び下基板の縁に面取り加工を施すことも可能である。面取り加工は上基板及び下基板の縁を平滑にする効果がある。
【００２６】
以上は本発明の好ましい実施例であって、本発明の実施の範囲を限定するものではない。よって、当業者のなし得る修正、もしくは変更であって、本発明の精神の下においてなされ、本発明に対して均等の効果を有するものは、いずれも本発明の特許請求の範囲に属するものとする。
【産業上の利用可能性】
【００２７】
本発明は従来の表示パネルの隅部に角取り加工を施すことを内容とする。かかる技術は当然実施可能である。
【図面の簡単な説明】
【００２８】
【図１】従来のフラット表示パネルの平面図である。
【図２】従来のフラット表示パネルの側面図である。
【図３】従来のフラット表示パネルに落下試験を施した後の状態を表す説明図である。
【図４】本発明の実施例１によるフラット表示パネル有する電子装置として実施される、フラット表示パネルを設けるシステムのブロック図である。
【図５】図４に示すフラット表示パネルの一部を表す平面図である。
【図６】本発明の実施例２によるフラット表示パネルの一部を表す平面図である。
【図７】本発明の実施例３によるフラット表示パネルの平面図である。
【符号の説明】
【００２９】
１０、５０、７０  フラット表示パネル
１１  画素アレイ領域
１２、５２、７２  上基板
１３  制御回路領域
１４、５４、７４  下基板
１４ａ〜１４ｄ、５４２、５４４、５４６、５４８、７４２、７４４、７４６、７４８  隅部
１８、５８、７８  アクティブ領域
２０、６０、８０  周辺領域
２２、５６  接続パッド
２８  破損
６６  ＩＣチップ
８０ａ、８０ｂ  周辺部
１００  電子装置
１０２  表示装置
１０４  コントローラー
５４２ａ、５４２ｂ、５４４ａ、５４４ｂ、７４２ａ、７４２ｂ、７４４ａ、７４４ｂ、７４６ａ、７４６ｂ  角度
６０１  幅
６０２  長さ
６１１〜６１８  側面
【図１】
2008102515.tif 000003
【図２】
2008102515.tif 000004
【図３】
2008102515.tif 000005
【図４】
2008102515.tif 000006
【図５】
2008102515.tif 000007
【図６】
2008102515.tif 000008
【図７】
2008102515.tif 000009